【事件の表示】
　平成　７年特許願第３０７４６７号「電子回路装置」拒絶査定不服審判事件〔平成　８年　８月３０日出願公開、特開平　８−２２１８８１〕について、次のとおり審決する。
【結　論】
　本件審判の請求は、成り立たない。
【理　由】
１．手続の経緯・本願発明
　本件審判の請求に係る特許出願（以下「本願」という。）は、平成７年１１月２７日（パリ条約に基づく優先権主張外国庁受理　１９９４年１２月２３日　米国）に出願されたものであって、平成１５年１月２１日付けで拒絶査定がなされたところ、平成１５年４月２日付けで特許法第１２１条第１項の審判請求がなされた。
　そして、本願請求項に係る発明は、平成１５年４月２日付け手続補正書により補正された明細書の特許請求の範囲の各請求項に記載された事項により特定されるとおりのものと認められるところ、そのうち請求項１に係る発明は次のとおりのものである。
　「【請求項１】　情報を記憶し読取るコンポーネント・ディスク・ドライブと、
　前記コンポーネント・ディスク・ドライブの動作とは無関係の少なくとも１つの所定の機能を実行する複数の電子コンポーネントを有する電子回路と、
　前記コンポーネント・ディスク・ドライブに記憶された前記情報を、前記少なくとも１つの所定の機能を実行するのに用いる前記電子回路に与える手段と、
を備える電子回路装置。」（以下、「本願発明」という。）
　
　
２．刊行物及びその記載
　原査定の拒絶の理由で引用された刊行物である、特開昭６２−２７００８９号公報（以下、「刊行物」という。）は、超小形ヘッドディスクセンブリに関するものであって、図面とともに以下の記載がある。
　 (2-1)「１．
磁気ディスク、該磁気ディスクを駆動するモータ、磁気ヘッド、該磁気ヘッドを上記磁気ディスク上の任意のトラック上に位置付けするアクチュエータを含むヘッドディスクアセンブリ（ＨＤＡ）において、上記ＨＤＡが該ＨＤＡを駆動，制御したり、信号を受授する電気的接続部材により回路基板上に直接接続され
　 (2-2)「〔産業上の利用分野〕　本発明は、ヘッドディスクアセンブリ（以下、ＨＤＡという｝に関し、特に超小形ディスク装置において、回路基板上に実装するのに好適な超小形ヘッドアセンブリに関するものである」（第１頁左下欄１７行〜右下欄第３行目）
　 (2-3)「
デイスク装置は・・・電子カメラなどでは、約２インチ径のフレキシブル円盤を使用したものが開発されている。
　 (2-4)「上記従来例では、ディスク装置のＨＤＡをＩＣメモリのように回路基板上に実装することについて配慮されていなかった。
　本発明の目的は、このような従来の配慮されたていなかった点を改善し、
ＨＤＡを回路基板上に実装しやすい形とし、小形、大容量の不揮発性メモリと同様な手軽さで使用できる超小形ヘッドディスクアセンブリを提供する
　(2-5)「
第１図は、第２図のＨＤＡを回路基板上に実装した状態を示す図である。　第１図において、３は密閉部１とリード線２を含むＨＤＡ、４はＨＤＡ３が実装されている回路基板、５は回路基板上４の回路パターン、６はＩＣメモリである
　
　以上の記載事項を総合勘案して、図面とともに整理すると、刊行物には以下の発明が記載されているものと認める。
  「磁気ディスク、磁気ディスクを駆動するモータ、磁気ヘッド、磁気ヘッド上の任意のトラック上に位置付けするアクチュエータを含むヘッドディスクアセンブリ（ＨＤＡ）であって、上記ＨＤＡがＨＤＡを駆動、制御したり、信号を授受する電気的接続部材により回路基板上に直接接続されており、回路基板上の回路パターンにはＩＣメモリがあり、小形、大容量の不揮発性メモリと同様な手軽さで使用する、電子カメラ用超小形ヘッドディスクアセンブリを載置した回路基板」（以下、「刊行物発明」という。）
　
　
　３．対比・判断
　各図面も参酌しながら本願発明と刊行物発明を対比する。
　(3-1)本願発明の解釈
　先ず、本願発明は、きわめて漠として、広い概念で記載されていており、構成要件の技術的範囲が必ずしも明確でない。そこで、本発発明の詳細な説明を参酌すると以下の記載がある。
　 (i)「【００１４】第１の実施例の
電子回路装置では、コンポーネント・ディスク・ドライブを有する電子回路が設けられる。ディスク・ドライブは、この電子回路の動作に用いられるマイクロコードを記憶する。
　【００１５】【発明の実施の形態】この発明を、図１を参照して説明する
。図１は、種々の電子装置に見出される回路ボードを表す一般的な電子回路ボード４を示している。この電子回路ボードは、ソリッド・ステート・メモリ・コンポーネント，抵抗，キャパシタ，オシレータ等の複数の相互接続回路要素５を有している。
相互接続回路要素は、総称的に電子回路と呼ばれている。電子回路は、また、１つ以上の回路要素５にローカル記憶装置を与える、本発明のディスクリートなコンポーネント・サイズのディスク・ドライブ３を有している。
　【００１６】
図１に示されたような回路ボードを、
ビデオ・カメラ，
のような電子装置にも設けられる。
　 (ii)「【００２１】
図４〜図７は、この発明の電子回路装置内に実現されたコンポーネント・ディスク・ドライブの好適な実施例を示す。
　 (iii)「【００２９】
図８は、
電子回路用のカード・エンクロージャを示している。
　 (iv)「【００３０】
図９は、この発明の電子回路装置の好適な実施例を示している。
カメラ
　【００３３】
ディスク・ドライブの制御動作に必要な制御機能は、カード・エンクロージャ内の１つ以上の集積回路（ＩＣ）コンポーネント７１に設けられる。
　【００３４】図９に戻り、サブ回路コンポーネント７１は、装置アセンブリ７４によって占有されないカードの部分を占有する電子回路ボード７６に搭載される。導電手段７５、例えばフレキシブル・ケーブルまたは他のコネクタは、ディスク・ドライブ・アセンブリを、サブ回路コンポーネント７１に接続する。導電手段７５は、例えば制御ライン，データ・バス，アドレス・バスを含んでいる。ディスク・ドライブの動作を制御するコンポーネントが、カード・エンクロージャの外部にあるならば、適当な制御ラインがコネクタ６０に接続され、図示のように、アセンブリ７４に外部アクセスを与える。
　【００３５】ディスク・ドライブ・アセンブリ７４は、カード・エンクロージャ内のセパレート・ハウジング（図示せず）に好適に設けられており、セパレート・ハウジングは、アセンブリ７４を汚染から保護するために、他の要素から分離する。あるいはまた、カードを２以上の分離セクションに細分割することができ、あるいはカード製造を、注意深く制御して、全カード内の汚染の存在を最少にすることができる。
　【００３６】多種の電子装置は、ローカル記憶域必要量に対してソリッド・ステート・メモリを使用する電子回路を有している。電子装置のすべては、例えば、ファクシミリ，セルラー電話，プリンタ，
カメラ
　 (v)「【００３７】図１０は、本発明による電子回路装置の機能ブロック図であり、
コンポーネント・ディスク・ドライブ７４がマイクロコードを記憶するために用いられている。
　　　　　　　　　　　・・・（中略）・・・      
　【００３９】図１１は、この発明の他の特定の実施例を示す。この実施例では、
コンポーネント・ディスク・ドライブ７４は、基本検証テスト（ＢＡＴ）コードおよびテーブルを記憶する。前述したように、ＢＡＴコードは典型的にＥＰＲＯＭまたはフラッシュ・メモリに格納され、回路のコンポーネントに対して、診断テストを実行して、それらの動作性を検証する。
　
　以上の構成事項及び図面等の記載から、本願発明は、具体的には、「コンポーネント・ディスク・ドライブは、実施例の図１には回路ボード上への配置、ないし、実施例の図９にはカード・エンクロージャ内への配置で、また図１でコンポーネント・サイズのディスク・ドライブはソリッド・ステート・メモリ・コンポーネント，抵抗，キャパシタ，オシレータ等複数の相互接続回路要素５である電子回路と共通の電子ボード上に有してあり、図９でカードエンクロージャ内に、ディスク・ドライブ・アセンブリ７４とサブ回路コンポーネントを電子回路ボード７６に搭載して導電手段で接続してあり、そして少なくとも、コンポーネント・ディスク・ドライブに記憶された情報は、コンポーネント・ディスク・ドライブの動作とは無関係の、少なくとも１つの所定の機能を実行する、電子回路の機能を実行するのに用いる」と解される。
　ただ、本願発明の記載では、電子回路は「複数の電子回路コンポーネントを有する電子回路」というもので、回路ボード上とかカードエンクロージャ内というように電子回路配置の内延外延を明確にしていない構成であるところに留意する。　
　
　(3-2)対比
　 (a)刊行物発明の「磁気ディスク、磁気ディスクを駆動するモータ、磁気ヘッド、磁気ヘッド上の任意のトラック上に位置付けするアクチュエータを含むヘッドディスクアセンブリ（ＨＤＡ）」であるが、このＨＤＡは具体的には約２インチ径のフレキシブル円盤を使用した・・・超小形ヘッドディスクアセンブリというものであるし（上記(2-2)(2-3)(2-4)を参照）、また当該刊行物に従来例として記載のある特開昭６０−２９９８９号公報を参酌してもＨＤＡが情報を記憶し読み取る機能を有していることは明らかであるから、これは本願発明の「情報を記憶し読取るコンポーネント・ディスク・ドライブ」に相当する。
　 (b)刊行物発明の「ＨＤＡがＨＤＡを駆動、制御したり、信号を授受する電気的接続部材により回路基板上に直接接続されており、回路基板上の回路パターンにはＩＣメモリ」であるが、これは回路基板上にＨＤＡ，回路パターン及びＩＣメモリを載置した記載である。用途として電子カメラ用回路基板をあげており、コネクタを介して電子カメラの内部構成回路部品として着脱自在になされるものである。そして、基板上の電子回路としてはＩＣメモリのみの構成は非経済的で高集積化を勘案すれば、付随して、抵抗，キャパシタ等の他の多くの電子回路要素が存在することは常識的に想定できる。また、刊行物発明での、「ＨＤＡを駆動、制御したり」なる記載であるが、ＨＤＡ３はこれ自体で、コンポーネント・ディスク・ドライブとしてのまとまった構成要件をもつことは、当該刊行物の従来技術として記載のある特開昭６０−２９９８９号公報（第１頁右下欄第１２行目参照）から自明で、これを除く他の電子回路はコンポーネント・ディスク・ドライブの動作とは無関係の動作を実行するためのものと理解できる。
　仮に、ＨＤＡ３それ自体で駆動、制御をもたないとしても、上記回路基板の電子カメラへの用途を勘案すれば、回路基板上には多くの電子回路を有することは上記したとおりで、一部はコンポーネント・ディスク・ドライブの動作に関わるとしても、これとは無関係に少なくとも１つの（電子カメラの求める）機能を実行する要素として、（回路基板上及び回路基板以外において）電子コンポーネントを有する電子回路が存在することは技術常識的に明らかである。
　したがって、上記構成要件は、本願発明の「前記コンポーネント・ディスク・ドライブの動作とは無関係の少なくとも１つの所定の機能を実行する複数の電子コンポーネントを有する電子回路」に相当する。
　 (c)刊行物発明の「電子カメラ用超小形ヘッドディスクアセンブリを載置した回路基板」であるが、回路基板はボードであり、上記したように複数の電子回路要素を有しているものであるから、本願発明の「電子回路装置」に相当する。
　
　結局、本願発明と刊行物発明との〔一致点〕及び〔相違点〕は以下のとおりである。
　
　〔一致点〕　
　「情報を記憶し読取るコンポーネント・ディスク・ドライブと、
　前記コンポーネント・ディスク・ドライブの動作とは無関係の少なくとも１つの所定の機能を実行する複数の電子コンポーネントを有する電子回路と、
　を備える電子回路装置。」
　
　〔相違点〕
　 コンポーネントディスクドライブに記憶されている情報の用い方であるが、本願発明のものは「コンポーネント・ディスク・ドライブに記憶された情報を、少なくとも１つの所定の機能を実行するのに用いる前記電子回路に与える手段」というものであるが、刊行物発明にはそのような構成の記載が明確にはない点で相違する。
　
　(3-3)判断
　上記、相違点である「・・・記憶された情報を、・・・１つの所定の機能を実行するのに用いる前記電子回路に与える手段」であるが、『１つの所定の機能を実行するのに用いる情報』とは具体的に何であるのか、必ずしも明確でない。請求項１以降及び明細書を参酌していくと、具体的には、電子回路に対して基本検証テストを行うという記載がある。
　しかしながら、ディスク・ドライブに記憶された情報を、ディスク・ドライブの動作以外のハードウエハ、要するに電子回路の検証テストを行わせる機能として電子回路に与えていくことは周知技術である（例：特開平４−２５３２３０号公報の【０００１】【０００４】【００１０】〜【００１５】等参照）。
　また、ディスク・ドライブの記憶容量は大きいもので、記録再生に用いらられるものである。そこにディスク・ドライブの動作以外の情報も当然記録されるはずである。その情報として、例えば、オートフォーカス，露出調整，画像情報等を想定した場合、これらの実行は、コンポーネント・ディスク・ドライブの動作とは無関係の、フォーカス機能，露出機能，画像再生機能のためのものである。これはディスク・ドライブの動作とは無関係の所定の機能を実行する情報を電子回路に与え電子回路は上記各機能を実行可能とするのに動作することになることは通常的に想定でき、これも広義である本願発明の上記構成要件に含まれていくものである。
　したがって、刊行物発明においても、上記周知技術等を採用して、上記相違点の構成としていくことは当業者が適宜容易に想到できるものである。
　
　
  ４．むすび
　以上のとおりであるから、本願発明は、上記刊行物発明及び周知事項に基づいて当業者が容易に発明をすることができたものであるから、特許法第２
９条第２項の規定により特許を受けることができないものである。
　したがって、本願はその余の請求項について論及するまでもなく、拒絶をすべきものである。
　
　よって、結論のとおり審決する。